(57)【要約】【課題】受信装置の設定情報を調整するためのディジタル信号をＦＭ多重放送用帯域で多重化するＦＭ送信装置と、それに対応するＦＭ受信装置からなる機器リモートコントロールシステムを提供する。【解決手段】音声またはオーディオ信号を変調するための第１の変調手段と、ＦＭ受信装置を制御するためのコマンド信号を入力するコマンド信号入力手段と、コマンド信号を変調するための第２の変調手段と、第１の変調手段による変調信号と共に第２の変調手段による変調信号を周波数多重化したＦＭ多重信号を送信する送信手段と、ＦＭ多重信号を受信する受信手段と、ＦＭ多重信号から第１の変調手段による変調信号を復調する第１の復調手段と、復調して得られた音声またはオーディオ信号を出力する第１の出力手段と、受信したＦＭ多重信号から第２の変調手段による変調信号を復調する第２の復調手段と、復調されたコマンド信号に基づいて第１の出力手段を制御する制御手段と、を備える。    【選択図】図1
2007180968.tif 000002
【特許請求の範囲】
【請求項１】
ディジタルデータ復調部を備えた少なくとも1つのＦＭ受信装置と、前記ＦＭ受信装置を制御するためのコマンド信号を周波数多重するためにディジタル変調部を備えたＦＭ送信装置とからなる機器リモートコントロールシステムであって、
前記ＦＭ送信装置は、
音声またはオーディオ信号を変調するための第１の変調手段と、
前記ＦＭ受信装置を制御するためのコマンド信号を入力するコマンド信号入力手段と、
前記コマンド信号を変調するための第２の変調手段と、
前記第１の変調手段による変調信号と共に前記第２の変調手段による変調信号を周波数多重化したＦＭ多重信号を送信する送信手段と、を備え、
前記ＦＭ受信装置は、
前記送信手段による前記ＦＭ多重信号を受信する受信手段と、
前記受信手段により受信した前記ＦＭ多重信号から前記第１の変調手段による変調信号を復調する第１の復調手段と、
前記第１の復調手段で復調して得られた音声またはオーディオ信号を出力する第１の出力手段と、
前記受信手段により受信した前記ＦＭ多重信号から前記第２の変調手段による変調信号を復調する第２の復調手段と、
前記第２の復調手段により復調された前記コマンド信号に基づいて前記第１の出力手段を制御する制御手段と、
を備えたことを特徴とする機器リモートコントロールシステム。
【請求項２】
音声またはオーディオ信号を変調するための第１の変調手段と、
ディジタルデータ復調部を備えたＦＭ受信装置を制御するためのコマンド信号を入力するコマンド信号入力手段と、
前記コマンド信号を変調するための第２の変調手段と、
前記第１の変調手段による変調信号と共に前記第２の変調手段による変調信号を周波数多重化したＦＭ多重信号を送信する送信手段と、
を備えたことを特徴とするＦＭ送信装置。
【請求項３】
ＦＭ多重信号を受信する受信手段と、
前記受信手段により受信した前記ＦＭ多重信号を復調する第１の復調手段と、
前記第１の復調手段で復調して得られた音声またはオーディオ信号を出力する第１の出力手段と、
前記受信手段により受信した前記ＦＭ多重信号から前記第１の出力手段を制御するためのコマンド信号を復調する第２の復調手段と、
前記第２の復調手段により復調されたコマンド信号に基づいて前記第１の出力手段を制御する制御手段と、
を備えたことを特徴とするＦＭ受信装置。
【請求項４】
前記第１の出力手段は、
前記第１の復調手段で復調して得られた音声またはオーディオ信号を増幅する増幅手段と、
前記増幅手段によって増幅された前記音声またはオーディオ信号の音質を調整する音質調整手段と、
前記音質調整手段によって音質調整された前記音声またはオーディオ信号を出力する第２の出力手段と、
を備えたことを特徴とする請求項１または３に記載のＦＭ受信装置。
【請求項５】
前記制御手段は、前記第２の復調手段により復調された前記コマンド信号に基づいて、前記第１の出力手段が備える増幅手段、音質調整手段、第２の出力手段の内、少なくとも一つを制御することを特徴とする請求項４に記載のＦＭ受信装置。
【請求項６】
前記コマンド信号は、
前記少なくとも１つのＦＭ受信装置の中から特定の１つを選択するための機器コードと、
前記機器コードで選択された前記ＦＭ受信機における前記第１の出力手段の中から特定の１つを選択するためのターゲットコードと、
前記ターゲットコードで選択された制御対象の調整値であるデータと、
の３ブロックで構成されるベースバンド信号であることを特徴とする請求項１，２，３，５のいずれか１つに記載の機器リモートコントロールシステム。
【発明の詳細な説明】
【技術分野】
【０００１】
本発明は、ＦＭ多重放送に対応したＦＭ受信装置およびＦＭ送信装置を用いた機器リモートコントロールシステムに関する。
【背景技術】
【０００２】
近年、車載テレビシステムにおいて、音声を車両スピーカから聴くための装置として、ＦＭトランスミッタ装置が知られている。このＦＭトランスミッタ装置は、音声信号をＦＭ変調して送信するための装置であり、この送信信号を車両のラジオチューナで受信することで、ＦＭラジオとして車両スピーカから音声を聴くことができる。
【０００３】
また、欧州等において、ＦＭ多重放送の一方式であるＲＤＳ（Ｒａｄｉｏ  Ｄａｔａ  Ｓｙｓｔｅｍ）に対応した放送が行われている。ＲＤＳ放送とは、ＦＭラジオ放送に各種ディジタルデータを多重伝送する方式の放送である。
【０００４】
具体的には、１９ｋＨｚのステレオパイロット信号の３倍の高周波である５７ｋＨｚを副搬送波とし、コード化されたデータ信号により、上記副搬送波を搬送波抑圧形振幅変調する。その被変調信号を主信号であるモノラル信号あるいはステレオコンポジット信号に加算して周波数多重化すると共にＦＭ波によって送信する。これによって、ＦＭラジオ放送と共に文字放送、交通情報、放送局名表示などに利用されている。
【０００５】
しかし、従来のＦＭトランスミッタ装置では、受信装置側に音声信号を送信するのみで、受信装置の音量やイコライザ等の設定を調整することはできなかった。また、ＲＤＳ放送に対応したＦＭ受信機についても、文字放送や交通情報等の利用に限られていた。
【０００６】
そこで、上記問題点の少なくとも１つを解決する先行技術として、特許文献１の発明が存在する。この発明は、送信装置側で生成した音量調整信号をオーディオ信号と共に光学的に受信装置側へ送信し、この音量調整信号に基づいて受信装置の音量調整を行う技術である。
【特許文献１】特開平６−２５２６７１号公報
【発明の開示】
【発明が解決しようとする課題】
【０００７】
しかしながら、従来の技術は、送信装置で音声をＦＭ変調して受信装置に送信したり、音量調整信号をオーディオ信号と共に光学的に受信装置側へ送信することで受信装置側の音量調整をするものに限られていた。
【０００８】
また、各種ディジタルデータを多重化したＦＭ波を受信するＦＭ多重放送受信装置に関しては、文字放送、交通情報、放送局名表示などの利用に限られていた。
さらに、機器の遠隔操作をする装置に一般的に採用されている赤外線方式は、直進性が強い為、見通し内で直線的に送信装置と受信装置が配置される必要があった。さらに、屋外で使用する場合は太陽光による赤外線がノイズとなる可能性が高いため誤動作が生じやすかった。
【０００９】
そこで本発明では、ＦＭによる電波方式を採用し、受信装置側の音量調整に限らず、例えばイコライザ、周波数設定等を調整するためのディジタル信号をＦＭ多重放送用帯域で多重化するＦＭ送信装置と、それに対応するＦＭ受信装置からなる機器リモートコントロールシステムを提供することを目的とする。
【００１０】
なお、欧州向けに生産されているＦＭチューナの多くは、ＲＤＳデコーダを搭載しており、変調方式についてはＲＤＳフォーマットを利用すると利便性が高いと考えられるので、本発明ではＲＤＳをベースにしたシステムについて提案するが、ＲＤＳ以外の多重放送を用いてもよい。
【課題を解決するための手段】
【００１１】
上記課題を解決する本発明の機器リモートコントロールシステムは、以下の構成を採用する。
すなわち、本発明の一態様によれば、ディジタルデータ復調部を備えた少なくとも1つのＦＭ受信装置と、ＦＭ受信装置を制御するためのコマンド信号を周波数多重するためにディジタル変調部を備えたＦＭ送信装置とからなる機器リモートコントロールシステムであって、ＦＭ送信装置は、音声またはオーディオ信号を変調するための第１の変調手段と、ＦＭ受信装置を制御するためのコマンド信号を入力するコマンド信号入力手段と、コマンド信号を変調するための第２の変調手段と、第１の変調手段による変調信号と共に第２の変調手段による変調信号を周波数多重化したＦＭ多重信号を送信する送信手段と、を備え、ＦＭ受信装置は、送信手段によるＦＭ多重信号を受信する受信手段と、受信手段により受信したＦＭ多重信号から第１の変調手段による変調信号を復調する第１の復調手段と、第１の復調手段で復調して得られた音声またはオーディオ信号を出力する第１の出力手段と、受信手段により受信したＦＭ多重信号からディジタルデータを復調する第２の復調手段と、第２の復調手段により復調されたコマンド信号に基づいて第１の出力手段を制御する制御手段と、を備える。
【００１２】
また、第１の出力手段は、第１の復調手段で復調して得られた音声またはオーディオ信号を増幅する増幅手段と、増幅手段によって増幅された音声またはオーディオ信号の音質を調整する音質調整手段と、音質調整手段によって音質調整された音声またはオーディオ信号を出力する第２の出力手段と、を備えることが望ましい。
【００１３】
また、制御手段は、第２の復調手段により復調されたコマンド信号に基づいて、第１の出力手段が備える増幅手段、音質調整手段、第２の出力手段の内、少なくとも一つを制御することが望ましい。
【００１４】
また、コマンド信号は、少なくとも１つのＦＭ受信装置の中から特定の１つを選択するための機器コードと、機器コードで選択されたＦＭ受信機における第１の出力手段の中から特定の１つを選択するためのターゲットコードと、ターゲットコードで選択された制御対象の調整値であるデータと、の３ブロックで構成されるベースバンド信号であることが望ましい。
【００１５】
したがって本発明の機器リモートコントロールシステムは、ＦＭ送信装置でディジタル信号（コマンド信号）をＦＭ多重放送用帯域で送信することによって、ＦＭ受信装置の音量調整に限らず、例えばイコライザ、周波数設定等を調整することができる。
【発明の効果】
【００１６】
本発明によれば、ＦＭによる電波方式を採用することによって電波の回折を利用することで従来の赤外線方式の様に見通し内で直線的に送信機と受信機を配置しなければならない問題を解消することができる。
【００１７】
また、ＦＭ送信装置でディジタル信号（コマンド信号）をＦＭ多重放送用帯域で送信することによって、ＦＭ受信装置の音量調整に限らず、例えばイコライザ、周波数設定等を調整することができる。
【発明を実施するための最良の形態】
【００１８】
以下に図を参照しながら詳細な説明をする。
図１（ａ）は、本発明の機器リモートコントロールシステム１０を示すブロック図である。本発明の機器リモートコントロールシステム１０は、送信部１１と受信部１２から成り、送信部１１は、入力部１３と、トランスミッタ装置１４と、を備える。
【００１９】
入力部１３は、音声またはオーディオ信号と、オーディオコントロール情報を入力する装置である。入力部１３は、マイク１５、スイッチ１６、キーパッド１７を備え、スイッチ１６は、マイク１５からの音声信号と、外部オーディオ機器等からのオーディオ信号を切り替える装置である。キーパッド１７は、受信部１２に対するオーディオコントロール情報、例えばボリュームコントロール、イコライザ調整、サウンドバランス、電源ＯＮ／ＯＦＦ、周波数切替等の情報に相当するコマンド信号を入力するための装置である。
【００２０】
トランスミッタ装置１４は、入力部１３からの音声またはオーディオ信号と、コマンド信号をそれぞれ変調して周波数多重化し、送信するための装置である。
トランスミッタ装置１４は、第１の変調回路１８と、送信回路１９と、第２の変調回路２０と、アンテナ２１と、を備える。
【００２１】
ここで、モノラル信号あるいはステレオ信号である音声またはオーディオ信号は、第１の変調回路１８で、１９ｋＨｚのステレオパイロット信号と共に変調される。なお、第２の変調回路２０は、ＦＭ多重信号の変調回路と、その変調を制御するためのＣＰＵおよび制御プログラムの記憶装置が含まれているものとする。記憶装置は、例えばハードディスク、ＭＯ、ＦＤ、ＣＤ−ＲＯＭ／ＲＷ、ＤＶＤ−ＲＯＭ／ＲＷ、フラッシュメモリ等の記録媒体である。
【００２２】
ベースバンド信号であるコマンド信号は、第２の変調回路２０で、ステレオパイロット信号の３倍の周波数である５７ｋＨｚの副搬送波にて位相変調される。この変調波は、上記変調された信号に周波数多重化されて、送信回路１９にてＦＭ変調され送信される。なお、送信周波数範囲は、例えば７６ＭＨｚから１０８ＭＨｚとする。
【００２３】
一方、受信部１２は、オーディオ装置２２と、出力部２３と、を備える。オーディオ装置２２は、送信部１１から送信された送信信号を受信して再生するための装置である。
オーディオ装置２２は、アンテナ２１と、受信回路２４と、信号復調回路２５と、ＬＰＦ２６と、第１の復調回路２７と、アンプ２８と、イコライザ２９と、ＢＰＦ３０と、第２の復調回路３１と、制御回路３２と、を備える。
【００２４】
トランスミッタ装置１４からの送信信号を受信すると、受信信号は、受信回路２４と信号復調回路２５によって図１（ｂ）に示すコンポジット信号に変換される。このコンポジット信号は、音声またはオーディオ信号と、パイロット信号と、コマンド信号と、から構成されている。音声またはオーディオ信号がモノラル信号の場合は、帯域幅が３０Ｈｚ〜１５ｋＨｚである。また、ステレオ信号の場合は、帯域幅が５３ｋＨｚまで拡大する。コマンド信号は、ビットレート１１８７．５ｂｐｓのＢＰＳＫ（ＢｉｎａｒｙＰｈａｓｅＳｈｉｆｔＫｅｙｉｎｇ）信号である。
【００２５】
これらの内、音声またはオーディオ信号は、例えば遮断周波数５３ｋＨｚ以下のＬＰＦ（Ｌｏｗ  Ｐａｓｓ  Ｆｉｌｔｅｒ）２６によって分離され、第１の復調回路２７で復調される。復調信号は、アンプ２８およびイコライザ２９によって所望の音量・音質に調整されて、スピーカ３３より出力される。
【００２６】
一方、コマンド信号は、例えば通過周波数５７ｋＨｚ±２．５ｋＨｚのＢＰＦ（Ｂａｎｄ  Ｐａｓｓ  Ｆｉｌｔｅｒ）３０によって分離され、第２の復調回路３１で復調される。復調されたベースバンド信号に基づき、制御回路３２は、アンプ２８およびイコライザ２９を所望の設定値に調整する。ここで制御回路３２は、アンプ２８およびイコライザ２９のみを調整する回路構成となっているが、これに限定されるものではない。例えば複数のスピーカ３３を備えている場合に、特定のスピーカ３３を選択して音声またはオーディオ信号を出力することができる。また、例えば上下左右に配置された複数のスピーカ３３において、それぞれの出力バランスも調整可能である。さらに、受信部の電源のＯＮ／ＯＦＦも可能である。
【００２７】
なお、信号復調回路２５は、ＦＭ多重信号の復調回路と、その復調を制御するためのＣＰＵおよび制御プログラムの記憶装置が含まれているものとする。記憶装置は、例えばハードディスク、ＭＯ、ＦＤ、ＣＤ−ＲＯＭ／ＲＷ、ＤＶＤ−ＲＯＭ／ＲＷ、フラッシュメモリ等の記録媒体である。また、通信体系は上記実施例の無線通信に限らず、無線ＬＡＮおよびＵＷＢ（Ｕｌｔｒａ  Ｗｉｄｅ  Ｂａｎｄ）等を含むものとする。
【００２８】
図２は、キーパッド１７の一例を示す図である。キーパッド１７は、例えば「Ｕｐ」、「Ｄｏｗｎ」、「Ｒｉｇｈｔ」、「Ｃｅｎｔｅｒ」、「Ｌｅｆｔ」のキーで構成され、メニュー画面の項目の切替、設定値の切替、決定をする。なお、キーの構成は、上記実施例に限定されず、任意の専用キーを設けてもよい。以下に具体的な操作方法を示す。
【００２９】
図３は、キーパッド１７の表示画面（不図示）または送信部１１の表示画面（不図示）に表示されたオーディオコントロール情報に相当するコマンド信号の入力操作方法の一例を示す図である。以下に各ステップ（ＳＴと示す）における操作の説明をする。
【００３０】
ＳＴ１の“初期メニュー”画面において、例えば“音楽再生”、“ラジオ”、“トランスミッタ”、“リモコン”の項目が表示されている。ここで、所望の項目を選択するには、キーパッド１７の「Ｕｐ／Ｄｏｗｎ」キーでカーソル３４を移動して「Ｃｅｎｔｅｒ」キーで決定する。項目を選択すると、項目毎に専用画面が表示される。本実施例では、“トランスミッタ”の項目を選択するものとする。決定すると次の表示画面に移行する。
【００３１】
ＳＴ２の“トランスミッタメニュー”画面において、例えば“音楽再生”、“設定”、“戻る”の項目が表示されている。なお、“戻る”の項目を選択すると、“初期メニュー”の画面が表示される（ＳＴ１）。
【００３２】
ＳＴ２の“トランスミッタメニュー”画面において、“音楽再生”を選択した場合、ＳＴ３に示す“音楽再生メニュー”の画面が表示される。“音楽再生メニュー” 画面において、例えば“ノーマル再生”、“ランダム再生”、“プログラムリスト再生”、“プログラムリスト作成”、“戻る”の項目が表示されている。なお、“戻る”の項目を選択すると、“トランスミッタメニュー”の画面が表示される（ＳＴ２）。
【００３３】
ＳＴ３の“音楽再生メニュー”画面において、“ノーマル再生”を選択した場合、ＳＴ４に示す“再生中”の画面が表示される。“再生中” 画面において、例えば“Ａｒｔｉｓｔ”、“Ｔｉｔｌｅ”、“Ｍｏｄｅ”、“Ｖｏｌｕｍｅ”、“経過時間／曲時間”の項目が表示されている。ここでは以下に示すキーパッド１７の操作が可能である。
（ａ）例えば「Ｃｅｎｔｅｒ」キーの長押しで、“リモコンモード”と“音楽再生メニュー”  画面の切り替えをする。なお、キーパッド１７に直接“リモコンモード”画面を表示するための専用キーを設けてもよい。
（ｂ）例えば「Ｃｅｎｔｅｒ」キーの短押しで、再生と一時停止の切り替えをする。
（ｃ）例えば「Ｒｉｇｈｔ」キーの短押しで、＋１曲スキップをする。
（ｄ）例えば「Ｒｉｇｈｔ」キーの長押しで、早送り再生をする。
（ｅ）例えば「Ｌｅｆｔ」キーの短押しで、−１曲スキップをする。
（ｆ）例えば「Ｌｅｆｔ」キーの長押しで、巻戻し再生をする。
（ｇ）例えば「Ｃｅｎｔｅｒ」キーの２回押しで、“音楽再生メニュー” 画面への切り替えをする。
【００３４】
ＳＴ５の“リモコンモード”画面において、例えば“対象機器”、“送信”、“ボリューム”、“イコライザ”、“ＤＳＰ”、“スピーカ”、“バランス”の項目が表示されている。なお、１画面に表示しきれない項目が存在する場合は、「Ｕｐ／Ｄｏｗｎ」キーにより次画面にスクロール等で画面送りさせて表示する。
【００３５】
“対象機器”は、対象コントロール機器（オーディオ装置２２）を示し、本実施例では“Ａ社ミニコンポ”が対象機器として表示されている。“ボリューム”は、音量レベルを数字で示し、本実施例では“２０”が表示されている。“イコライザ”は、“Ｒｏｃｋ／Ｌｉｖｅ／Ｊａｚｚ／Ｈａｌｌ”等の種類を選択可能であり、本実施例では“Ｒｏｃｋ”が表示されている。“ＤＳＰ”は、 “Ｒｏｃｋ／Ｌｉｖｅ／Ｊａｚｚ／Ｈａｌｌ”等の種類を選択可能であり、本実施例では“Ｈａｌｌ”が表示されている。“スピーカ”は、任意のチャンネル数を設定可能であり、本実施例では“５ｃｈ”が表示されている。“バランス”は、スピーカ３３の音量バランスを任意に設定可能であり、本実施例では“ｄｅｆａｕｌｔ”が表示されている。
【００３６】
上記設定値でよければ、“送信”の項目にカーソル３４を移動し、「Ｃｅｎｔｅｒ」キーで決定する。なお、“リモコンモード”画面において設定中でも、音楽再生は継続することができる。また、送信もしくは「Ｃｅｎｔｅｒ」キーの２回押しで、“再生中”画面へ切り替わる。
【００３７】
ＳＴ５の“リモコンモード”画面において、“イコライザ”を変更したい場合、ＳＴ６に示す“イコライザ変更”の画面が表示される。ここで、例えば「Ｒｉｇｈｔ／Ｌｅｆｔ」キーにより“Ｒｏｃｋ”から“Ｊａｚｚ”に変更する。なお、送信もしくは「Ｃｅｎｔｅｒ」キーの２回押しで、“リモコンモード” 画面へ切り替わる。
【００３８】
ＳＴ２の“トランスミッタメニュー”画面において、“設定”を選択した場合、ＳＴ７に示す“設定メニュー”の画面が表示される。“設定メニュー” 画面において、例えば“周波数設定”、“送信出力設定”、“機器設定”、“戻る”の項目が表示されている。なお、“戻る”の項目を選択すると、“トランスミッタメニュー”の画面が表示される（ＳＴ２）。
【００３９】
ＳＴ７の“設定メニュー”画面において、“周波数設定”を選択した場合、ＳＴ８に示す“周波数設定”の画面が表示される。“周波数設定”画面において、例えば“送信周波数選択”、“周波数自動調整”、“設定メニューに戻る”の項目が表示されている。“送信周波数選択”では、送信周波数を設定する。送信周波数範囲は、例えば７６ＭＨｚから１０８ＭＨｚとする。本実施例では、“８１．６ＭＨｚ”が表示されている。“周波数自動調整”を選択すると、被コントロール機器（オーディオ装置２２）の受信周波数は自動的に送信周波数と同じ周波数に設定される。なお、“設定メニューに戻る” の項目を選択すると、“設定メニュー”の画面が表示される（ＳＴ７）。
【００４０】
ＳＴ７の“設定メニュー”画面において、“送信出力設定”を選択した場合、ＳＴ９に示す“送信出力設定”の画面が表示される。“送信出力設定”画面において、例えば“送信出力設定”、“設定メニューに戻る”の項目が表示されている。“送信出力設定”では、トランスミッタ装置１４の送信出力を設定する。送信出力の設定段階は、例えば“Ｌｅｖｅｌ１”から“Ｌｅｖｅｌ３”とする。“Ｌｅｖｅｌ１”は、送信出力が小レベルで、“Ｌｅｖｅｌ２”は、送信出力が中レベルで、“Ｌｅｖｅｌ３”は、送信出力が大レベルとする。本実施例では、“Ｌｅｖｅｌ３”が表示されている。送信出力は送信回路１９の出力段におけるアッテネータ等で調整される。なお、“設定メニューに戻る” の項目を選択すると、“設定メニュー”の画面が表示される（ＳＴ７）。
【００４１】
ＳＴ７の“設定メニュー”画面において、“機器設定”を選択した場合、ＳＴ１０に示す“機器設定”の画面が表示される。“機器設定”画面において、例えば“機器変更”、“設定メニューに戻る”の項目が表示されている。“機器変更”では、被コントロール機器（オーディオ装置２２）を設定する。本実施例では、“Ａ社ミニコンポ”が表示されている。ここで、製品出荷時において存在しなかった機器に対しては、ＰＣ等でネットワークを介して、書き換え用ファームウェアプログラムをダウンロードすることで更新することができる。なお、“設定メニューに戻る” の項目を選択すると、“設定メニュー”の画面が表示される（ＳＴ７）。
【００４２】
なお、上記表示画面に表示される各設定項目のデータは、第１の変調回路１８の記憶装置（不図示）に記憶されている。
図４は、オーディオコントロール情報に相当するコマンド信号のデータ形式の一例を示す図である。コマンド信号は、機器コード、ターゲットコード、データの３ブロックで構成されている。コマンド信号は、例えば２２ビットからなるベースバンド信号とする。
【００４３】
機器コードは、トランスミッタ装置１４の有効制御範囲にある複数の対象被コントロール機器同士の誤動作を防ぐために設ける。機器コードによって、対象被コントロール機器、例えばテレビジョン、ＶＴＲ、ＤＶＤ、アンプ、ＴＵＮＥＲ等を指定することができる。この機器コードは、管理コードとして対象被コントロール機器毎に割当てをする。
【００４４】
図４において、機器コードは、例えば６ビットのコードとする。「００００００」はＡ社製ミニコンポ１、「０００００１」はＡ社製ビデオデッキ、「００００１０」はＡ社製ＤＶＤプレーヤ、「００００１１」はＡ社製ＴＶ、「０００１００」はＡ社製ミニコンポ２、「０００１０１」はＡ社製ミニコンポ３、「００１１１０」はＢ社製カーナビ、「００１１１１」はＢ社製カーオーディオ、「０１１０００」はＣ社製ミニコンポ１とする。
【００４５】
続いてターゲットコードは、対象被コントロール機器の調整項目を指定するコードであり、例えば４ビットで構成されるものとする。「００００」はボリューム（Ｌ／Ｒ、Ｆｒｏｎｔ／Ｒｅａｒ／Ｃｅｎｔｅｒ、Ｍａｉｎ）、「０００１」はディジタルイコライザ（Ｎｏｒｍａｌ、Ｃｌａｓｓｉｃ、Ｌｉｖｅ、Ｐｏｐ、Ｒｏｃｋ、Ｊａｚｚ、Ｕ  ＢａｓｓＮｏｍａｌ等）、「００１０」はＤＳＰ機能（Ｈａｌｌ、Ｌｉｖｅ、Ｃｌｕｂ、Ｓｔａｄｉｕｍ、ＳＦ等）、「００１１」はサラウンド機能、「０１００」はディスプレイ（曲名表示等）、「０１０１」はアナログイコライザ（６０Ｈｚ）、「０１１０」はアナログイコライザ（３００Ｈｚ）とする。
【００４６】
またデータは、ボリューム（アンプ２８）やイコライザ２９等の調整や対象被コントロール機器の動作（再生、停止、一時停止、早送りなど）を指定するコードであり、例えば１２ビットで構成されるものとする。さらに、再生音楽のタイトルやアーティスト名を表示させる文字コードを送信することもできる。このとき、データ部のサイズは、日本語文字情報を送ることを考慮した場合、６４０ビット（４０文字）〜１２８０ビット（８０文字）で構成されるものとする。
【００４７】
なお、本発明は上記実施例に限定されるものではなく、構成ビット数は任意に設定可能である。
図５は、本発明の機器リモートコントロールシステム１０の動作を示すフローチャートである。以下に各ステップ（ＳＴと示す）における動作の詳細を説明する。
【００４８】
図３において説明した“機器設定”および“送信周波数”等の初期設定をする（ＳＴ１１）。
“周波数自動調整”において「ＯＮ」または「ＯＦＦ」の設定をする（ＳＴ１２）。
【００４９】
“周波数自動調整”が「ＯＮ」のとき、送信周波数を７６ＭＨｚから１０８ＭＨｚまで０．１ＭＨｚステップで周波数をずらしながら０．５秒間隔で送信する。すなわち、全送信周波数をスキャンするのに１６０秒かかるが、日本国内でのＦＭ放送における周波数の割当は７６〜９０ＭＨｚなので、スキャンするのに７０秒を要する。これによって、送信周波数の情報が被コントロール機器（オーディオ装置２２）に送信される（ＳＴ１３）。なお、予め手動で周波数を設定した場合は、この操作は行わずにＳＴ１４に進む。
【００５０】
“周波数自動調整”が「ＯＦＦ」のとき、“リモコンモード”画面に移行する（ＳＴ１４）。
“リモコンモード”画面において、表示された“対象機器”、“送信”、“ボリューム”、“イコライザ”、“ＤＳＰ”、“スピーカ”、“バランス”の項目の内、調整したい項目を選択する（ＳＴ１５）。
【００５１】
キーパッド１７で所望の項目の設定値を入力する（ＳＴ１６）。
項目を設定するために、被コントロール機器（オーディオ装置２２）に送信する（ＳＴ１７）。さらに変更したい項目があれば、ＳＴ１５からの操作を繰り返した後、調整を終了する（ＳＴ１８）。
【００５２】
したがって、音声またはオーディオ信号と共にコマンド信号をＲＤＳ信号用帯域で多重化して送信することによって、対象被コントロール機器の調整をすることができる。
以上、本発明を適用した実施の形態を説明してきたが、本発明は、以上に述べた各実施の形態に限定されるものではなく、本発明の要旨を逸脱しない範囲内で種々の構成を取ることができる。
【図面の簡単な説明】
【００５３】
【図１】本発明の機器リモートコントロールシステムを示すブロック図とコンポジット信号を示す図である。
【図２】キーパッドの一例を示す図である。
【図３】コマンド信号の入力操作方法の一例を示す図である。
【図４】コマンド信号のデータ形式の一例を示す図である。
【図５】本発明の機器リモートコントロールシステムの動作を示すフローチャートである。
【符号の説明】
【００５４】
１０    機器リモートコントロールシステム
１１    送信部
１２    受信部
１３    入力部
１４    トランスミッタ装置
１５    マイク
１６    スイッチ
１７    キーパッド
１８    第１の変調回路
１９    送信回路
２０    第２の変調回路
２１    アンテナ
２２    オーディオ装置
２３    出力部
２４    受信回路
２５    信号復調回路
２６    ＬＰＦ
２７    第１の復調回路
２８    アンプ
２９    イコライザ
３０    ＢＰＦ
３１    第２の復調回路
３２    制御回路
３３    スピーカ
３４    カーソル
【図２】
2007180968.tif 000003
【図３】
2007180968.tif 000004
【図４】
2007180968.tif 000005
【図５】
2007180968.tif 000006
【図１】
2007180968.tif 000007